(57)【特許請求の範囲】
【請求項１】
画面上に複数の条件項目データが表示される情報表示装置であって、
前記表示される条件項目データを記憶したデータ記憶手段と、
前記表示される条件項目データの属性と該属性毎に対応するアイコン目次情報とを関連付けたアイコンテーブルと、
画面内でデータ表示領域とアイコン目次情報表示領域とに分けられた状態で条件項目データを表示する場合に、前記アイコン目次情報をアイコン目次情報表示領域に表示するアイコン目次情報表示手段と、
前記条件項目データを属性ごとにソートするソート手段と、
画面上のデータ表示領域に表示されている前記条件項目データの属性に対応する前記アイコン目次の表示を画面上にデータがある旨の表示に切り替え、画面上のデータ表示領域をスクロールする指示が入力された場合に、スクロール処理をした結果、表示されていた前記アイコン目次に対応する属性の前記条件項目データが表示されなくなった場合は、該アイコン目次の表示を画面上に条件項目データがない旨の表示に切り替える切替手段と
を有することを特徴とする情報表示装置。
【請求項２】
前記条件項目データを表示させる際に、アイコン目次情報を前記条件項目データに隣接して表示させることを特徴とする請求項１記載の情報表示装置。
【発明の詳細な説明】
【０００１】
【産業上の利用分野】
本発明は、画面上に複数のデータが表示される情報表示装置に関するものである。
【０００２】
【従来の技術】
従来、比較対象の比較項目と条件項目とをＸ軸とＹ軸の２次元の表に展開して表示し、視覚的に比較を行う際に、条件項目が多い場合、表示装置の画面上に条件項目を全て一度に表示することができない。
【０００３】
このため、画面上に表示されていない条件項目を表示するために、Ｙ軸方向に縦スクロールを行い、所望の条件項目の部分を表示するようにしていた。
【０００４】
【発明が解決しようとする課題】
上述したように、画面上に表示されていない条件項目を縦スクロールによって表示していたのでは、最後の条件項目を表示しようとすると、何度も縦スクロールを行わなければならず、表示に手間と時間がかかるなどの問題があった。
【０００５】
本発明は、これらの問題を解決するため、条件明細項目をグルーピングしてアイコンを付与すると共にアイコン目次として画面上に表示し、アイコン目次からアイコンを選択して条件明細項目などを表示させると共に選択済のアイコンをアイコン目次中でドット表示などし、所望の条件明細項目などを簡単かつ迅速に表示させると共に重複した選択を避けることを目的としている。
【０００６】
【課題を解決するための手段】
図１を参照した課題を解決するための手段を説明する。
図１において、情報比較装置１は、情報を比較するものであって、２ないし５から構成されるものである。
【０００７】
見出しアイコン表示手段２は、アイコンテーブル８を参照してアイコンを取り出してアイコン目次などを表示するものである。
見出し項目検索手段３は、アイコン目次から任意のアイコンが選択されたことに対応して、選択されたアイコンに対応する条件見出し項目とその条件明細項目およびアイコンを合わせて画面上に表示させるものである。
【０００８】
条件詳細項目検索手段４は、画面上に表示された任意の条件明細項目が選択されたことに対応して、条件項目テーブル６を参照して該当する条件詳細項目である静止画、動画、および音声のうちの１つあるいは複数を取り出して表示／音声出力させるものである。
【０００９】
条件項目テーブル６は、条件見出し項目と条件明細項目と条件詳細項目を予め登録するものである。
アイコンテーブル８は、アイコンを予め登録するものである。
【００１０】
条件詳細テーブル９は、条件詳細項目（静止画、動画、音声など）を登録するものである。
表示手段１０は、画面を表示するものである。
【００１１】
音声出力装置１３は、音声を出力するものである。
【００１２】
【作用】
本発明は、図１に示すように、見出しアイコン表示手段２がアイコンテーブル８を参照してアイコンを取り出してアイコン目次として表示し、見出し項目検索手段３が表示されたアイコン目次から任意のアイコンが選択されたことに対応して、選択されたアイコンに対応する条件見出し項目とその条件明細項目を条件項目テーブル６から取り出し、アイコンと一緒に画面上に表示させるようにしている。
【００１３】
また、見出しアイコン表示手段２がアイコンテーブル８を参照してアイコンを取り出してアイコン目次として表示し、見出し項目検索手段３が表示されたアイコン目次から任意のアイコンが選択されたことに対応して、選択されたアイコンに対応する条件見出し項目とその条件明細項目を条件項目テーブル６から取り出し、アイコンと一緒に画面上に表示させ、条件詳細項目検索手段４が画面上に表示された任意の条件明細項目が選択されたことに対応して、条件項目テーブル６を参照して該当する条件詳細項目である静止画、動画、および音声のうちの１つあるいは複数を取り出して表示／音声出力させるようにしている。
【００１４】
これらの際に、画面上に表示された条件見出し項目に対応する、アイコン目次中のアイコンをドット表示し、画面上に表示中である旨を明示するようにしている。
【００１５】
また、画面上に表示された条件見出し項目である旨を表すアイコンおよび当該見出し項目の配下の条件明細項目である旨を表すアイコンをそれぞれに対応づけて表示するようにしている。
【００１６】
従って、条件明細項目をグルーピングしてアイコンを付与すると共にアイコン目次として画面上に表示し、アイコン目次からアイコンを選択して条件明細項目など表示させると共に選択済のアイコンをアイコン目次中でドット表示などし、画面上から条件明細項目が選択されたことに対応して条件詳細項目である静止画、動画、音声を表示／出力することにより、所望の条件明細項目およびその詳細な情報を簡単かつ迅速に表示させることが可能となると共に重複した無駄な選択作業を避けることが可能となる。
【００１７】
【実施例】
次に、図１から図１０を用いて本発明の実施例の構成および動作を順次詳細に説明する。
【００１８】
図１は、本発明の１実施例構成図を示す。
図１において、条件項目テーブル６は、条件見出し項目と条件明細項目と条件詳細項目を対応づけて予め登録するものであって、後述する図３の（ａ）に示すように、条件明細項目シーケンス番号に対応づけて、
・条件見出し項目
・条件明細項目
・条件詳細項目
を予め登録するものである。
【００１９】
比較項目テーブル７は、比較項目を予め登録するものであって、例えば後述する図３の（ｂ）に示すように、項目名に対応づけて
・条件明細項目シーケンス番号
を予め登録するものである。
【００２０】
アイコンテーブル８は、アイコンを予め登録するものであって、例えば後述する図３の（ｃ）に示すように、シーケンス番号に対応づけて、
・条件見出し項目
・アイコン（条件見出し項目のアイコンは□、条件明細項目のアイコンは○の中に特徴を表す記号、文字などを表現する）
を予め登録するものである。
【００２１】
条件明細テーブル９は、条件項目テーブル６の条件詳細項目に対応づけて予め登録するものであって、
・静止画
・動画
・音声
を予め登録するものである。
【００２２】
入力装置１１は、キーボードやマウスなどの各種入力装置である。
印字装置１２は、表などを用紙に印字するものである。
音声出力装置１３は、条件詳細テーブル９から取り出した音声データをもとに音声を発声させるものである。
【００２３】
次に、図２のフローチャートに示す順序に従い、図１の条件項目テーブル６およびアイコンテーブル８の登録について詳細に説明する。
図２において、Ｓ１は、条件見出し項目と条件明細項目の対を登録する。これは、後述する図３の（ａ）に示すように、条件明細項目シーケンス番号に対応づけて、
・条件見出し項目：例えばタイヤ＆ホイール
・条件明細項目：例えば195/65R14 89S(14×6JJスチールホイール)
・条件詳細項目
の対を登録する。
【００２４】
Ｓ２は、条件見出し項目ごとにアイコンを作成して登録する。これは、後述する図３の（ｃ）に示すように、シーケンス番号に対応づけて、
・条件見出し項目：例えばタイヤ＆ホイール
・アイコン：タイヤとホイルを表すアイコン
の対を登録する。
【００２５】
Ｓ３は、Ｓ１で登録した条件項目テーブル６の条件見出し項目をキーにソートする。これは、運用時に検索し易くするためにＳ１で登録した条件項目テーブル６の条件見出し項目をキーにソートしておく。
【００２６】
Ｓ４は、アイコンの数Ｎを数えて登録しておく。これは、運用時にアイコンの数Ｎを数えて動的に所定の固定のアイコン目次の領域を均等分割するので、そのために必要なアイコン数Ｎを予め数えて記憶しておく。
【００２７】
以上によって、図３の（ａ）の条件項目テーブル６および図３の（ｃ）のアイコンテーブル８が作成されることとなる。ここでは、条件項目テーブル６をＹ軸方向に表示し、比較項目をＸ軸方向に表示するので、当該比較項目について、同様にして図３の（ｂ）に示すように比較項目テーブル７に予め登録しておく。
【００２８】
図３は、本発明のテーブル例を示す。
図３の（ａ）は、条件項目テーブル（主要装備テーブル）の例を示す。これは、自動車の条件項目テーブルであって、自動車の主要装備を条件項目として予め登録したものである。ここでは、図示のように、条件明細項目シーケンス番号に対応づけて図示の下記の項目を予め登録する。
【００２９】
・条件見出し項目：主要装備グループ
・条件明細項目：主要装備名
・条件詳細項目：静止画、動画、音声
図３の（ｂ）は、比較項目テーブル（グレードテーブル）の例を示す。これは、自動車の比較項目テーブルであって、自動車のグレードを比較項目として予め登録したものである。ここでは、図示のように、項目名であるグレード名に対応づけて図示の下記の項目を予め登録する。
【００３０】
・条件明細項目シーケンス番号：
図３の（ｃ）は、アイコンテーブルの例を示す。これは、自動車の条件項目を分かり易く表した絵をアイコンとして登録したものである。ここでは、図示のように、シーケンス番号に対応づけて図示の下記を予め登録する。
【００３１】
・条件見出し項目：
・アイコン：
次に、図４に示すフローチャートに示す順序に従い、図１の構成の動作を詳細に説明する。
【００３２】
図４において、Ｓ１１は、Ｎよりアイコンエリアを均等分割しアイコンを割当て、アイコン目次を表示する。これは、図２のフローチャートのＳ４で予め数えておいたアイコン数、即ち、図３の（ａ）の条件項目テーブル６を２次元的に表示する際の条件見出し項目に対応するアイコン数Ｎを取り出し、このアイコン数Ｎで、固定のアイコンエリアを均等分割し、各分割したエリアにアイコンを表示し、アイコン目次を完成する。
【００３３】
Ｓ１２は、先頭から条件見出し項目、条件明細項目を取り出して表示する。これは、図３の（ａ）の条件項目テーブル６の先頭から条件見出し項目および条件明細項目を取り出し、後述する図６の左側のＹ軸方向に図示の
・タイヤ＆ホイール
・195/65R14 89S(14×6JJスチールホイール)
などを表示する。
【００３４】
Ｓ１３は、条件見出し項目に、アイコンを取り出して□で表示する。これは、Ｓ１２で図６の左側のＹ軸方向に表示した条件見出し項目例えば
・タイヤ＆ホイール
の先頭の部分に図示□を設けてその中にアイコンを表示する。この□は、条件見出し項目である旨を表すアイコンである。
【００３５】
Ｓ１４は、条件明細項目に条件明細項目のアイコンを取り出して○で表示する。この○は、条件明細項目である旨を表すアイコンであって、この○の中に条件明細項目を特定するアイコンを図示のように併せて表示する。
【００３６】
Ｓ１５は、比較項目テーブルの先頭から表示する。これは、例えば図３の（ｂ）の比較項目テーブル７の先頭から取り出した項目名（グレード）を、図６の画面上の上段のＸ方向に表示する（例えば“ＺＳ  Ｓｐｏｒｔｓ  Ｓｅｌｅｃｔｉｏｎ”、“ＺＳ”などを図示のように表示する）。
【００３７】
Ｓ１６は、アイコン目次選択処理を行う。これは、後述する図５のフローチャートに示すように、図６の左上に表示されたアイコン目次から任意のアイコンがマウスで選択されたことに対応して、選択されたアイコンの条件見出し項目を先頭に画面上に表示したりなどする。
【００３８】
Ｓ１７は、条件明細項目の選択処理を行う。これは、後述する図８に示すように、画面上に表示された条件見出し項目の配下の条件明細項目が選択されたことに対応して、条件詳細項目であるその詳細を説明する、静止画、動画、音声などを取り出して表示／出力する処理を行う。
【００３９】
以上によって、アイコンテーブル８、条件項目テーブル６、および比較項目テーブル７をもとに、例えば図６に示すように、左上にアイコン目次、左欄のＹ軸方向に条件見出し項目とアイコン□、およびその配下の条件明細項目およびアイコン○を表示、および上段のＸ軸方向に複数の比較対象の項目（グレード）を２次元的に表示し、アイコン目次からアイコンを選択して所望の条件見出し項目を先頭に迅速かつ分かり易く表示し、更に画面上に表示された条件見出し項目の配下の条件明細項目を選択してその説明である条件詳細項目の静止画、動画、音声を出力させることができ、複数階層（ここでは、条件見出し項目、条件明細項目、条件詳細項目の３階層）の条件項目を迅速かつ所望のものを選択してその内容を視覚的に分かり易く表示することが可能となる。
【００４０】
図５は、本発明のアイコン目次選択処理フローチャートを示す。これは、図４のＳ１６の詳細フローチャートである。
図５において、Ｓ２１は、アイコン目次中のアイコンが選択されたか判別する。ＹＥＳの場合には、Ｓ２２、Ｓ２３を行い、Ｓ２４に進む。ＮＯの場合には、Ｓ２４に進む。
【００４１】
Ｓ２２は、Ｓ２１でアイコン目次中のアイコンが選択されたと判明したので、選択された条件見出し項目のアイコンの、条件見出し項目を先頭に条件明細項目を表示する。これは、例えば図６の左上のアイコン目次中でタイヤ＆ホイールのアイコンがマウスで選択された場合、このアイコンの条件見出し項目である“タイヤ＆ホイール”を画面の先頭に、配下の条件明細項目を図示のように順次表示する。画面上の表示する領域があまったときは続く条件見出し項目、その配下の条件明細項目を表示できるだけ順次表示する。
【００４２】
Ｓ２３は、アイコン目次中の選択されたアイコンをドット表示する。これは、Ｓ２１のＹＥＳでアイコン目次中から選択されたアイコンについて、画面上に表示して作業中である旨を表すために当該アイコンをドット表示して重複した無駄な選択をしないようにしている。
【００４３】
Ｓ２４は、スクロールされたか判別する。これは、Ｓ２１のＹＥＳ、Ｓ２２、Ｓ２３によって画面上に例えば図６の左側のＹ軸方向に表示された条件見出し項目とその配下の条件明細項目の順序づけた並びについて、上方向あるいは下方向の縦スクロールバーがマウスで選択（クリック）されたか判別する。ＹＥＳの場合には、Ｓ２５、Ｓ２６を行い、Ｓ２７に進む。ＮＯの場合には、Ｓ２７に進む。
【００４４】
Ｓ２５は、Ｓ２４のＹＥＳでスクロールされたと判明したので、ドット表示された条件明細項目が非表示になったか判別する。ＹＥＳの場合には、Ｓ２６でドット表示のアイコン目次中のアイコンを元の表示の状態に戻し、Ｓ２７に進む。
【００４５】
Ｓ２７は、条件見出し項目と条件明細項目が全て表示されているか判別する。ＹＥＳの場合には、Ｓ２８でアイコン目次中の現在表示されている条件見出し項目のアイコンをドット表示し、終了する。このドット表示は、Ｓ２４のＹＥＳの縦スクロールによって、新たな条件見出し項目と条件明細項目が画面上に表示された場合、新たに表示された条件見出し項目のアイコン目次中のアイコンをドット表示して選択中である旨を明示するためである。画面上から縦スクロールによって追い出された条件見出し項目のアイコン目次中のアイコンは、Ｓ２６でドット表示が解除され元の状態に戻している。一方、ＮＯの場合には、終了する。
【００４６】
以上によって、アイコン目次中からアイコンを選択し、そのアイコンに対応する条件見出し項目およびその配下の条件明細項目、更にそれに続く条件見出し項目、配下の条件明細項目を画面上に表示できるだけ順次表示し、所望の項目が画面上に表示されていないときは縦スクロールして他の条件見出し項目およびその配下の条件明細項目を表示させると共に、未表示となった条件見出し項目のアイコンをアイコン目次中でドット表示を解消および表示された見出し項目のアイコンをアイコン目次中でドット表示する。これらにより、複数の階層からなる条件見出し項目、その配下の条件明細項目、更にその配下の条件詳細項目から所望のものを順次選択することを迅速かつ視覚的に容易、分かり易く選択することが可能となった。
【００４７】
図６は、本発明の表示例（その１）を示す。これは、初期画面であって、左上にアイコン目次をここでは固定のアイコンエリアに均等分割して動的に１０個表示する。左側のＹ軸方向に図３の（ａ）の条件項目テーブル６の先頭から取り出した条件見出し項目（タイヤ＆ホイール）およびそれに続く配下の条件明細項目を図示のように順次表示する。また、上段には、図３の（ｂ）の比較項目テーブル７から取り出した項目名（“ＺＳ  Ｓｐｏｒｔｓ  Ｓｅｌｅｃｔｉｏｎ”、“ＺＳ”など）を表示する。
【００４８】
図７は、本発明の表示例（その２）を示す。これは、図６の画面の左上のアイコン目次中で“足まわり”の左上から２番目のアイコンを選択したときに表示された画面を示す。この画面では、アイコン目次中の選択された左上から２番目の“足まわり”のアイコンがドット表示（薄くて選択済を表す）され、選択されたアイコン（足まわり）の条件見出し項目およびその配下の条件明細項目が左側のＹ軸方向に先頭から順次表示されている。上段のＸ方向は、図３の（ｂ）の比較項目テーブル７の項目名の内容が変わっている。
【００４９】
図８は、本発明の条件明細項目選択処理フローチャートを示す。これは、図４のＳ１７を詳細に説明するフローチャートである。
図８において、Ｓ３１は、条件明細項目のアイコンが選択されたか判別する。これは、例えば図９の画面の左側の条件明細項目“デュアルモード４ＷＳ”のアイコンがマウスで選択されたか判別する。この図９では選択されたので、ＹＥＳとなり、Ｓ３２で条件明細項目の条件を取り出して、条件明細項目（静止画、動画、音声）を表示、出力、例えば図示のように大きな“デュアルモード４ＷＳ”を表示し、その中に静止画、動画を表示したり、スピーカから音声で説明内容を発声したりする。一方、Ｓ３１のＮＯの場合には、終了する。
【００５０】
以上によって、図７の画面上の左側のＹ軸方向に表示した条件見出し項目の配下の条件明細項目のアイコン○のいずれかが選択された場合に、当該アイコンをドット表示すると共に、その条件詳細項目である静止画、動画を取り出して表示したり、音声を取り出して発声したりすることが可能となる。
【００５１】
図９は、本発明の表示例（その３）を示す。これは、画面上の左側のＹ軸方向の条件見出し項目の配下の条件明細項目“デュアルモード４ＷＳ”のアイコンが選択されたときの様子を示したものである。この状態では、選択された条件明細項目“デュアルモード４ＷＳ”のアイコンがドット表示されると共に、新たに解説したウィンドウ上に選択された条件明細項目の静止画、動画を表示、更に図示該のスピーカから音声が出力されることとなる。これにより、条件明細項目の内容を静止画、動画、更に音声によってその内容を知ることができる。
【００５２】
図１０は、本発明の表示例（その４）を示す。これは、図６、図７、図９で部分的に画面上に表示できる範囲のみを表示したものを、まとめた論理画面（仮想画面）上の表示例を模式的に表したものである。左上にアイコン目次を動的にエリア分割して表示する。左側のＹ軸方向に条件見出し項目とアイコン□、その配下の条件明細項目とアコン○を表示する。上段のＸ軸方向に比較項目（グレードＡ、Ｂ、Ｃ、Ｄ、Ｅ）を表示する。そして、中央にＸ軸の比較項目の条件明細項目がそれぞれ表示する。
【００５３】
以上のように、条件見出し項目とその配下の条件明細項目をＹ軸方向、比較項目をＸ軸方向とする２次元展開し、中央に、比較項目の条件明細項目の内容を表示し、比較項目（例えば自動車のグレード）を複数表示して相互の条件明細項目の違いを容易に比較することができる。この際、本願発明で説明したように、Ｙ軸方向の条件見出し項目とその配下の条件明細項目について、所望のものを操作簡単かつ視覚的に迅速に選択して表示させることが可能となるものである。
【００５４】
尚、本実施例では、条件見出し項目とその配下の条件明細項目を図１０に示すように左側のＹ軸方向に表示したけれども、上段のＸ軸方向に表示することも同様に行えるものである。
【００５５】
【発明の効果】
以上説明したように、本発明によれば、条件項目をグルーピングしてアイコンを付与すると共にアイコン目次として画面上に表示し、アイコン目次から所望の条件項目を選択して表示させると共に選択済のアイコンをアイコン目次中でドット表示などし、画面上から条件明細項目が選択されたことに対応して条件詳細項目である静止画、動画、音声を表示／出力する構成を採用しているため、所望の条件見出し項目およびその配下の条件明細項目を簡単な操作で表示させ、その条件明細項目の内容を静止画、動画、更に音声で出力して知ることができると共に、選択された条件見出し項目や条件明細項目のアイコンをドット表示して明示し、重複した無駄な操作を無くすこともできる。
【図面の簡単な説明】
【図１】本発明の１実施例構成図である。
【図２】本発明の登録フローチャートである。
【図３】本発明のテーブル例である。
【図４】本発明の動作説明フローチャートである。
【図５】本発明のアイコン目次選択処理フローチャートである。
【図６】本発明の表示例（その１）である。
【図７】本発明の表示例（その２）である。
【図８】本発明の条件明細項目選択処理フローチャートである。
【図９】本発明の表示例（その３）である。
【図１０】本発明の表示例（その４）である。
【符号の説明】
１：情報比較装置
２：見出しアイコン表示手段
３：見出し項目検索手段
４：条件詳細項目検索手段
５：出力手段
６：条件項目テーブル
７：比較項目テーブル
８：アイコンテーブル
９：条件詳細テーブル
１０：表示装置
１１：入力装置
１２：印字装置
１３：音声出力装置
【図１】
0003884760.tif 000002
【図２】
0003884760.tif 000003
【図３】
0003884760.tif 000004
【図４】
0003884760.tif 000005
【図５】
0003884760.tif 000006
【図６】
0003884760.tif 000007
【図７】
0003884760.tif 000008
【図８】
0003884760.tif 000009
【図９】
0003884760.tif 000010
【図１０】
0003884760.tif 000011